(57)【要約】【課題】センサーの検知による補正制御又は製造工程での調整を行うことなく、混色光の色ずれ及び制御パターンに基づく色変化のタイミングのずれの低減を容易かつ安価に行う。【解決手段】緑色ＬＥＤ３１の光量比が１．３、赤色ＬＥＤ３０及び青色ＬＥＤ３２の光量比が０．７の場合、まず、リモコン送信器４２のＬＥＤボタン４２２を数回押して緑色ＬＥＤ３１を点灯させる。その後、暗ボタン４２５を押して最大光出力時のオンデューティーを７０％から５４％に変更し、記憶ボタン４２６を押して可変色演出用制御部７に記憶させる。一方、赤色ＬＥＤ３０又は青色ＬＥＤ３２を点灯させてから、明ボタン４２４を押して最大光出力時のオンデューティーを７０％から１００％に変更し、記憶ボタン４２６を押して可変色演出用制御部７に記憶させる。【選択図】図１
2007173120.tif 000002
【特許請求の範囲】
【請求項１】
照明用の主光源と、それぞれが異なる発色光を出力する複数の演出用光源とを制御する照明装置であって、
前記複数の演出用光源のそれぞれを予め決められた制御パターンに基づいて制御して複数の前記発色光から混色光を生成させる可変色演出制御手段と、
前記複数の演出用光源のそれぞれに対して個別に前記発色光を出力させ、前記発色光及び前記混色光の出力状態に応じて前記複数の演出用光源のそれぞれの最大光出力を手動で調整して固定する手動調整手段と
を備えることを特徴とする照明装置。
【請求項２】
前記手動調整手段が、リモコン送信器であることを特徴とする請求項１記載の照明装置。
【請求項３】
前記複数の演出用光源が、赤色の発色光を出力する赤色発光ダイオードと、緑色の発色光を出力する緑色発光ダイオードと、青色の発色光を出力する青色発光ダイオードとの組み合わせであることを特徴とする請求項１又は２記載の照明装置。
【請求項４】
前記手動調整手段が、前記赤色発光ダイオード、前記緑色発光ダイオード及び前記青色発光ダイオードに対する供給電源出力のそれぞれのオンデューティーを制御することを特徴とする請求項３記載の照明装置。
【請求項５】
前記手動調整手段が、前記オンデューティーを制御して、前記赤色発光ダイオード、前記緑色発光ダイオード及び前記青色発光ダイオードの前記最大光出力を、予め決められた基準値にすること特徴とする請求項４記載の照明装置。
【請求項６】
前記最大出力時の前記オンデューティーの初期状態が６０〜８０％であることを特徴とする請求項５記載の照明装置。
【請求項７】
前記手動調整手段が、前記複数の演出用光源に対する供給電源出力の大きさを制御することを特徴とする請求項１〜３のいずれか記載の照明装置。
【請求項８】
前記手動調整手段が、それぞれが前記複数の演出用光源のいずれかと直列に接続する複数の可変抵抗であることを特徴とする請求項１〜３のいずれか記載の照明装置。
【請求項９】
請求項１〜８のいずれか記載の照明装置と、
前記照明装置によって制御される照明用の主光源と、
前記照明装置によって制御され、それぞれが異なる発色光を出力する複数の演出用光源と
を備えることを特徴とする照明器具。
【発明の詳細な説明】
【技術分野】
【０００１】
本発明は、それぞれが異なる発色光を出力する複数の演出用光源を制御して混色光を生成させる照明装置及びこれを含む照明器具に関するものである。
【背景技術】
【０００２】
従来、この種の照明器具は、例えば住宅用のシーリングライトなどであり、照明用の主光源とは別に、それぞれが赤色光、緑色光及び青色光を出力する複数の発光ダイオードを備える構成である。
【０００３】
上記従来の照明器具の一例として、特許文献１には、それぞれが異なる発色光（発光色）を出力する複数の光源の調光を行う調光装置と、各発色光を混色して得られる混色光の設定値信号を無線媒体信号として受信し、調光装置に信号を送って調光装置を制御する調光制御部と、混色光の光色・光量の設定値を入力する光色・光量設定部と、混色光の光色・光量を検出するセンサーを含み検出値又は設定値を調光制御部に送信するリモートコントローラ部とを備えている可変色照明システム（照明器具）が開示されている。特許文献１の可変色照明システムは、光色・光量設定部に入力された設定値とセンサーによって検出された検出値とを比較し、設定値と検出値のずれをなくすように混色光の調整を行う。
【特許文献１】特開平５−２１１６８号公報（第３〜６頁及び第１図）
【発明の開示】
【発明が解決しようとする課題】
【０００４】
しかしながら、上記従来の照明器具は、光色・光量検出センサーが高価であり、演算処理を行うためのプログラムが複雑になるので、開発に時間とコストを要するという問題があった。また、従来の照明器具は、主光源を同時に点灯する場合、又は外光や他の照明が周囲にあるような場合では、光色・光量検出センサーによって上記複数の光源以外からの光も含めて光色・光量が検出されるので、結果的に混色光の調整がずれてしまうという問題もあった。
【０００５】
本発明は上記の点に鑑みて為されたものであり、その目的とするところは、センサーの検知による補正制御又は製造工程での調整を行うことなく、混色光の色ずれ及び制御パターンに基づく色変化のタイミングのずれの低減を容易かつ安価に行うことができる照明装置及びこれを含む照明器具を提供することにある。
【課題を解決するための手段】
【０００６】
請求項１に記載の発明は、照明用の主光源と、それぞれが異なる発色光を出力する複数の演出用光源とを制御する照明装置であって、前記複数の演出用光源のそれぞれを予め決められた制御パターンに基づいて制御して複数の前記発色光から混色光を生成させる可変色演出制御手段と、前記複数の演出用光源のそれぞれに対して個別に前記発色光を出力させ、前記発色光及び前記混色光の出力状態に応じて前記複数の演出用光源のそれぞれの最大光出力を手動で調整して固定する手動調整手段とを備えることを特徴とする。
【０００７】
この構成では、ユーザが混色光及び各発色光を実際に確認しながら、複数の演出用光源のそれぞれの最大光出力を手動で調整して固定することができるので、センサーの検知による補正制御又は製造工程での調整を行うことなく、混色光の色ずれ及び制御パターンに基づく色変化のタイミングのずれの低減を容易かつ安価に行うことができる。また、主光源が点灯しているときであっても主光源の照度に影響を受けることなく、混色光の色ずれ及び色変化のタイミングのずれを低減することができる。
【０００８】
請求項２に記載の発明は、請求項１に記載の発明において、前記手動調整手段が、リモコン送信器であることを特徴とする。この構成では、照明装置が、ユーザの手の届かない場所にあったとしてもリモコン送信器によって容易に調整することができる。
【０００９】
請求項３に記載の発明は、請求項１又は２に記載の発明において、前記複数の演出用光源が、赤色の発色光を出力する赤色発光ダイオードと、緑色の発色光を出力する緑色発光ダイオードと、青色の発色光を出力する青色発光ダイオードとの組み合わせであることを特徴とする。この構成では、赤色、緑色及び青色の発色光によって多くの混色光を生成することができる。
【００１０】
請求項４に記載の発明は、請求項３に記載の発明において、前記手動調整手段が、前記赤色発光ダイオード、前記緑色発光ダイオード及び前記青色発光ダイオードに対する供給電源出力のそれぞれのオンデューティーを制御することを特徴とする。この構成では、各発光ダイオードに対して最大許容電力を変更することなく最大光出力を手動で調整することができるので、各発光ダイオードの寿命を長く維持することができる。
【００１１】
請求項５に記載の発明は、請求項４に記載の発明において、前記手動調整手段が、前記オンデューティーを制御して、前記赤色発光ダイオード、前記緑色発光ダイオード及び前記青色発光ダイオードの前記最大光出力を、予め決められた基準値にすること特徴とする。この構成では、各発光ダイオードのばらつきによる影響を低減することができる。
【００１２】
請求項６に記載の発明は、請求項５に記載の発明において、前記最大光出力時の前記オンデューティーの初期状態が６０〜８０％であることを特徴とする。この構成では、各発光ダイオードの光出力が大きすぎる場合、又は上記光出力が小さすぎる場合のどちらの場合でも効率よく対応することができる。
【００１３】
請求項７に記載の発明は、請求項１〜３のいずれかに記載の発明において、前記手動調整手段が、前記複数の演出用光源に対する供給電源出力の大きさを制御することを特徴とする。この構成では、各発光ダイオードの最大光出力を手動で容易に調整することができる。
【００１４】
請求項８に記載の発明は、請求項１〜３のいずれかに記載の発明において、前記手動調整手段が、それぞれが前記複数の演出用光源のいずれかと直列に接続する複数の可変抵抗であることを特徴とする。この構成では、各発光ダイオードの最大光出力を手動で容易に調整することができる。
【００１５】
請求項９に記載の発明は、請求項１〜８のいずれかに記載の照明装置と、前記照明装置によって制御される照明用の主光源と、前記照明装置によって制御され、それぞれが異なる発色光を出力する複数の演出用光源とを備えることを特徴とする。
【００１６】
この構成では、ユーザーが混色光及び各発色光を実際に確認しながら、複数の演出用光源のそれぞれの最大光出力を手動で調整して固定することができるので、センサの検知による補正制御又は製造工程での調整を行うことなく、混色光の色ずれ及び制御パターンに基づく色変化のタイミングのずれの低減を容易かつ安価に行うことができる。また、主光源が点灯しているときであっても主光源の照度に影響を受けることなく、混色光の色ずれ及び色変化のタイミングのずれを低減することができる。
【発明の効果】
【００１７】
本発明によれば、センサーの検知による補正制御又は製造工程での調整を行うことなく、混色光の色ずれ及び制御パターンに基づく色変化のタイミングのずれの低減を容易かつ安価に行うことができる。
【発明を実施するための最良の形態】
【００１８】
（実施形態１）
本発明の実施形態１について図１〜５を用いて説明する。図１は、実施形態１の照明器具の構成を示すブロック図である。図２は、実施形態１の照明器具の要部であって、（ａ）が側面図、（ｂ）が下面図である。図３は、実施形態１の照明器具の要部回路図である。図４は、実施形態１の照明器具における可変色演出制御部のスイッチング素子の動作を示す図である。図５は、実施形態１の照明器具であって、（ａ），（ｂ）がばらつきのない場合の時間経過に対する各発光ダイオードのオンデューティー及び光量比を示す図、（ｃ），（ｄ）がばらつきのある場合のオンデューティー及び光量比を示す図である。なお、図３では、ＬＥＤ基板を２つのみ図示し残りを省略しているが、ＬＥＤ基板の数が増えても図示しているものと同様に並列に接続する。
【００１９】
まず、実施形態１の基本的な構成について説明する。実施形態１の照明器具１は、例えば住宅用のシーリングライトであり、図１に示すように、主光源２と、４つの演出用光源群３，３，３，３と、照明装置４と、器具本体５（図２（ａ）参照）と、セード６（図２（ａ）参照）とを備え、交流電源ＡＣと接続している。交流電源ＡＣは、例えば１００Ｖの商用電源などである。なお、照明器具１は、住宅用のシーリングライトに限定されるものではなく、ブラケットであってもよいし、住宅用でなく施設用や店舗用などであってもよい。
【００２０】
器具本体５は、図２（ａ）に示すように、ランプソケット５０と、ランプ支持部５１と、反射板（カバー）５２とを備え、器具取付部（電源接続部）５５（図５（ｂ）参照）によって天井面Ｌに取り付けられている。一方、セード６は、器具本体５と係合し、器具本体５の下面を覆うものである。
【００２１】
主光源２は、例えば二重環型蛍光灯ＦＨＤ１００などの蛍光灯であり、主に照明用である。上記主光源２は、ランプ口金２０をランプソケット５０と接合させた状態で、ランプ支持部５１で支持されることによって器具本体５に固定されている。なお、主光源２は蛍光灯に限定されるものではなく、白熱灯であってもよい。
【００２２】
各演出用光源群３は、図１に示すように、それぞれが異なる発色光を出力する３つの演出用光源を１パッケージとして備えている。上記３つの演出用光源とは、赤色発光ダイオード（以下「赤色ＬＥＤ」という）３０、緑色発光ダイオード（以下「緑色ＬＥＤ」という）３１及び青色発光ダイオード（以下「青色ＬＥＤ」という）３２の３チップである。
【００２３】
照明装置４は、インバータ部４０と、４つのＬＥＤ基板４１，４１，４１，４１と、リモコン送信器４２と、リモコン受信部４３とを備え、主光源２、赤色ＬＥＤ３０、緑色ＬＥＤ３１及び青色ＬＥＤ３２を制御するものである。
【００２４】
インバータ部４０は、図２（ｂ）に示すように、器具本体５の反射板５２に取り付けられている。また、インバータ部４０は、電源入力端子が天井面Ｌ（図２（ａ）参照）に設置された電源コネクタ（図示せず）と接続している。上記インバータ部４０は、図１に示すように、交流電源ＡＣから交流電力が供給される。インバータ部４０の回路方式は、昇圧チョッパ回路とハーフブリッジインバータの組み合わせである。
【００２５】
各ＬＥＤ基板４１には、図３に示すように、赤色ＬＥＤ３０と、緑色ＬＥＤ３１と、青色ＬＥＤ３２とが並列に接続して実装されている。また、各ＬＥＤ基板４１には、各ＬＥＤ３０，３１，３２と直列に接続する限流用抵抗４４ｒ，４４ｇ，４４ｂが実装されている。上記各ＬＥＤ基板４１は、図２（ｂ）に示すように、器具本体５の外周枠５３に設けられている４つのＬＥＤ部５４，５４，５４，５４に１つずつ取り付けられている。上記ＬＥＤ部５４に取りつけられた状態で、各ＬＥＤ基板４１の前面にはカバー５４０が取り付けられている。これにより、各発色光は拡散する。
【００２６】
リモコン送信器４２は、図１に示すように、全灯ボタン４２０と、調光ボタン４２１と、ＬＥＤボタン４２２と、消灯ボタン４２３と、明ボタン４２４と、暗ボタン４２５と、記憶ボタン４２６とを備えている。上記リモコン送信器４２をユーザが操作して、全灯ボタン４２０が押されると主光源２が全灯し、調光ボタン４２１が押されると主光源２が調光状態になり、明ボタン４２４、暗ボタン４２５が押されると主光源２の調光レベルが変更される。また、上記リモコン送信器４２は、ユーザによってＬＥＤボタン４２２、明ボタン４２４、暗ボタン４２５が押されると、各ＬＥＤ３０，３１，３２が制御され、複数の各ＬＥＤ３０，３１，３２に対して個別に赤色光、緑色光及び青色光を出力させ、上記赤色光、緑色光、青色光及び混色光の出力状態に応じて各ＬＥＤ３０，３１，３２の最大光出力を手動で調整して固定する手動調整手段である。
【００２７】
リモコン受信部４３は、受光モジュール４３０と、制御用メインマイコン４３１と、可変色演出制御部７とを備えている。受光モジュール４３０は、リモコン送信器４２から送られる赤外線などの送信信号を受信する。制御用メインマイコン４３１は、受光モジュール４３０で受信された信号コードに応じてインバータ部４０に制御信号を送り、主光源２の点灯、消灯、調光などの制御を行う。また、制御用メインマイコン４３１は、受光モジュール４３０で受信された信号コードに応じて可変色演出制御部７に制御信号を送る。
【００２８】
可変色演出制御部７は、図３に示すように、ＬＥＤ制御用サブマイコン７０と、ＥＥＰＲＯＭ７１と、デューティー制御用スイッチ７２ｒ，７２ｇ，７２ｂと、スイッチング素子７３ｒ，７３ｇ，７３ｂと、三端子レギュレーター７４とを備え、各ＬＥＤ３０，３１，３２の光出力を予め決められた制御パターンに基づいて制御して赤色光、緑色光及び青色光から混色光を生成させるものである。ＬＥＤ制御用サブマイコン７０は、予めプログラムされた制御パターンに応じて連続色変化（図５（ａ）参照）や色固定出力、調光など、各ＬＥＤ３０，３１，３２の点灯制御を行う。なお、制御用メインマイコン４３１とＬＥＤ制御用サブマイコン７０の機能を合わせて１つのマイコンで実現してもよい。デューティー制御用スイッチ７２ｒ，７２ｇ，７２ｂは、ｎｐｎ型のバイポーラトランジスタであり、電源電圧Ｖｃｃとグランド間において、各ＬＥＤ３０，３１，３２及び限流用抵抗４４ｒ，４４ｇ，４４ｂと直列に接続し、スイッチング素子７３ｒ，７３ｇ，７３ｂを介してＬＥＤ制御用サブマイコン７０の各出力端子７５ｒ，７５ｇ，７５ｂと接続している。スイッチング素子７３ｒ，７３ｇ，７３ｂは、ｐｎｐ型のバイポーラトランジスタである。三端子レギュレーター７４は、一端でコンデンサ７４０と接続し、他端でコンデンサ７４１と接続している。
【００２９】
可変色演出制御部７の動作について図３，４を用いて説明する。図３に示すＬＥＤ制御用サブマイコン７０の各出力端子７５ｒ，７５ｇ，７５ｂからの制御信号がＬ（ロー）レベルのとき（図４参照）、スイッチング素子７３ｒ，７３ｇ，７３ｂがオン状態になり、デューティー制御用スイッチ７２ｒ，７２ｇ，７２ｂのベースに電流が流れ、デューティー制御用スイッチ７２ｒ，７２ｇ，７２ｂもオン状態になる。これにより、各ＬＥＤ３０，３１，３２に順電流ＩＦｒ，ＩＦｇ，ＩＦｂが流れる。ここで、順電流ＩＦｒ，ＩＦｇ，ＩＦｂの波高値ＩＦ−Ｈは、電源電圧Ｖｃｃや限流用抵抗４４ｒ，４４ｇ，４４ｂによって決定される。また、ＬＥＤ制御用サブマイコン７０からの制御信号の１周期Ｔ０（図４参照）を一定にして、Ｌレベルの幅ＴＬ（図４参照）をＴ０に対して０％から１００％まで変化することによって順電流ＩＦｒ，ＩＦｇ，ＩＦｂの実効値電流をＩＦ−Ｈから０まで制御する。このようにして各ＬＥＤ３０，３１，３２のデューティー比が所定の比となるように予めＬＥＤ制御用サブマイコン７０にプログラムすることによって所望の混色光、連続色変化動作を得ることができる。
【００３０】
なお、初期状態の最大光出力時のオンデューティーを５０％にして各ＬＥＤ３０，３１，３２の最大光出力時の順電流ＩＦｒ，ＩＦｇ，ＩＦｂが所定の大きさとなるようにすれば、より広いばらつきの範囲に対応することができるが、最大光出力時のオンデューティーを小さくすると分解能が低くなるので、スムーズな色変化が得られにくくなる。反対に、初期状態の最大光出力時のオンデューティーを１００％にして各ＬＥＤ３０，３１，３２の最大光出力時の順電流ＩＦｒ，ＩＦｇ，ＩＦｂが所定の大きさとなるようにすると、電流増加による光束劣化寿命が悪化することはないが、最大光出力時のオンデューティーを下げる方向のみの調整となるので、光量の小さい色に合わせた調整になって全体的に光量が低下する。また、光量の最大ばらつきが±５０％となることは極めて稀であり、実質的には±３０％ぐらいに対応できればよい。上記より、初期状態の最大光出力時のオンデューティーを約７０％にするのが好ましい。
【００３１】
次に、実施形態１の照明器具において赤色ＬＥＤ３０、緑色ＬＥＤ３１及び青色ＬＥＤ３２を用いて連続色変化させる場合について図５を用いて説明する。なお、各ＬＥＤ３０，３１，３２の順電流ＩＦｒ，ＩＦｇ，ＩＦｂのオンデューティーと各ＬＥＤ３０，３，１，３２の実行値電流及び光量とがほぼ比例関係であるとする。図５（ａ）は、連続的に自動循環で色変化させる場合の制御パターンを示す。横軸が時間ｔ（ｓｅｃ）、縦軸がオンデューティー（％）であり、時間変化に対するオンデューティーを示す。ここでは、初期状態の最大光出力時のオンデューティーが７０％と設定して各ＬＥＤ３０，３１，３２（図３参照）の最大光出力（Ｆｕｌｌ出力）時の順電流ＩＦｇが所定の大きさにされている。具体的には、電源電圧Ｖｃｃ＝１２Ｖ、各ＬＥＤ３０，３１，３２の限流用抵抗４４ｒ，４４ｇ，４４ｂ（図３参照）の抵抗値を順に３ｋΩ、１．７５ｋΩ、７５０Ωとすると、各順電流ＩＦｒ，ＩＦｇ，ＩＦｂは、順に約３．５ｍＡ、５．４ｍＡ、１２．３ｍＡとなる。このときの光量（光度）の比（赤色ＬＥＤ：緑色ＬＥＤ：青色ＬＥＤ）はおよそ１：３．３：１．８となる。まず、リモコン送信器４２のＬＥＤボタン４２２（図１参照）を押すと、図５（ｂ）に示すように、５秒間隔で青色→水色→緑色→黄色→赤色→紫色→青色と１周約３０秒で自動循環して点灯する。これに対して、ＬＥＤボタン４２２を続けて押す度に青色、水色、緑色、黄色、赤色、紫色、連続色変化といった具合に順送りで固定色又は連続色変化とモードが変わる。
【００３２】
続いて、各ＬＥＤ３０，３１，３２（図３参照）の部品ばらつきなどによる光度ばらつきについて説明する。ここで、各ＬＥＤ３０，３１，３２の順方向電圧が約±０．４Ｖ、電源電圧Ｖｃｃが約±１Ｖ、限流用抵抗４４ｒ，４４ｇ，４４ｂの抵抗値が±１％のばらつきを含んでいるとすると、各ＬＥＤ３０，３１，３２の順電流ＩＦｒ，ＩＦｇ，ＩＦｂは最大で約±１５％もばらつき、色によって異なるが定格電流における光度のばらつきも最大約±３３〜４８％となるので、トータルの光度ばらつきは計算上最大で約±５０〜７０％となる（電流と光度はほぼ比例関係にあるものとする。）。ただし、確率的にここまでばらつく可能性はほとんどない。
【００３３】
ここで、各ＬＥＤ３０，３１，３２（図３参照）の光量比が±３０％ばらつく場合について説明する。例えば緑色ＬＥＤ３１の光量比が１．３、赤色ＬＥＤ３０及び青色ＬＥＤ３２の光量比が０．７の場合、緑色が支配的になって他の色と比ベても明るく、連続色変化時の緑色の時間が長くなり、混色光の色ずれや、青色から水色、黄色から赤への変化のタイミングのずれが生じるという問題が発生する。つまり、所定の混色比で色固定する場合の色ずれ、色変化時の見た目の違和感などが生じる。上記の場合、まず、リモコン送信器４２のＬＥＤボタン４２２（図１参照）を数回押して緑色ＬＥＤ３１を点灯させる。その後、暗ボタン４２５（図１参照）を押して、図５（ｄ）に示すように、最大光出力時のオンデューティーを７０％から５４％に変更し、記憶ボタン４２６（図１参照）を押す。その後、ＥＥＰＲＯＭ７１（図３参照）が、緑色ＬＥＤ３１の最大光出力時のオンデューティーが５４％であるという情報を記憶する。これにより、緑色ＬＥＤ３１の最大光出力時のオンデューティーは５４％となる。一方、ＬＥＤボタン４２２を何回か押して赤色ＬＥＤ３０又は青色ＬＥＤ３２を点灯させる。その後、明ボタン４２４（図１参照）を押して最大光出力時のオンデューティーを７０％から１００％に変更し、記憶ボタン４２６を押す。その後、ＥＥＰＲＯＭ７１が、赤色ＬＥＤ３０及び青色ＬＥＤ３２の最大光出力時のオンデューティーが１００％であるという情報を記憶する。これにより、赤色ＬＥＤ３０及び青色ＬＥＤ３２の最大光出力時のオンデューティーは１００％となる。
【００３４】
上記より、図５（ｃ）にしめすような各ＬＥＤ３０，３１，３２の光量比のばらつきを抑制することができる。つまり、大、小どちらにばらついても対応することができる。
【００３５】
なお、ＬＥＤ制御用サブマイコン７０には、連続色変化時の青色から水色に変化するときの緑色ＬＥＤ３１の動作が、５秒間でオンデューティーを０％から５４％まで変化するように予めプログラムされている。つまり、最大光出力時のオンデューティーに応じて、同じ５秒間で０％から７０％まで変化する場合と、０％から５４％まで変化する場合で、オンデューティーの変化スピードを演算により求めるようにプログラムされている。
【００３６】
以上、実施形態１によれば、ユーザが混色光及び各発色光を実際に確認しながら、各ＬＥＤ３０，３１，３２の最大光出力を手動で調整して固定することができるので、センサーの検知による補正制御又は製造工程での調整を行うことなく、混色光の色ずれ及び制御パターンに基づく色変化のタイミングのずれの低減を容易かつ安価に行うことができる。また、主光源２が点灯しているときであっても主光源２の照度に影響を受けることなく、混色光の色ずれ及び色変化のタイミングのずれを低減することができる。さらに、ユーザの好みに応じて任意に調整することもできる。
【００３７】
上記に追加して、照明器具１の本体側が、ユーザの手の届かない場所にあったとしてもリモコン送信器４２によって容易に調整することができる。また、赤色ＬＥＤ３０、緑色ＬＥＤ３１及び青色ＬＥＤ３２の組み合わせであるので、赤色光、緑色光及び青色光によって多くの混色光を生成することができる。さらに、各ＬＥＤ３０，３１，３２に対する供給電圧のそれぞれの最大光出力時のオンデューティーを制御することによって、各ＬＥＤ３０，３１，３２に対して最大許容電力を変更することなく最大光出力を手動で調整することができるので、各ＬＥＤ３０，３１，３２の寿命を長く維持することができる。
【００３８】
さらに追加して、各ＬＥＤ３０，３１，３２のばらつきによる影響を低減することができる。また、各ＬＥＤ３０，３１，３２に対する供給電圧の初期状態を７０％にすることによって、各ＬＥＤ３０，３１，３２の光出力が大きすぎる場合、又は上記光出力が小さすぎる場合のどちらの場合でも効率よく対応することができる。
【００３９】
（実施形態２）
本発明の実施形態２について図６を用いて説明する。図６は、実施形態２の照明器具の要部回路図である。
【００４０】
実施形態２の照明器具は、実施形態１の照明器具（図１参照）と同様に、主光源２と、４つの演出用光源群３，３，３，３とを備えているが、実施形態１の照明器具にはない以下に記載の特徴部分がある。
【００４１】
実施形態２の照明器具は、図６に示すような電源回路部８を備えている。電源回路部８は、ダイオードブリッジ８０と、抵抗８１，８２と、平滑コンデンサ８３と、ツェナーダイオード８４とを備えている。また、電源回路部８は、各ＬＥＤ３０，３１，３２ごとに、抵抗８５ｒ，８５ｇ，８５ｂと、可変抵抗８６ｒ，８６ｇ，８６ｂと、平滑コンデンサ８７ｒ，８７ｇ，８７ｂとを備えている。ダイオードブリッジ８０は、交流電源ＡＣからの交流電圧を整流する。抵抗８１，８２は、整流された電圧を分圧する。平滑コンデンサ８３は、抵抗８１，８２の分圧を平滑する。ツェナーダイオード８４は、平滑された電圧を一定電圧とする。可変抵抗８６ｒ，８６ｇ，８６ｂは、つまみ（図示せず）が設けられているものであり、セード６（図２（ａ）参照）を外したときにユーザが上記つまみを操作できるように、反射板５２（図２（ａ）参照）に穴が開けられ、つまみが突出した構造の手動調整手段である。平滑コンデンサ８７ｒ，８７ｇ，８７ｂは、抵抗８５ｒ，８５ｇ，８５ｂと可変抵抗８６ｒ，８６ｇ，８６ｂの分圧を平滑する。平滑された電圧が各ＬＥＤ３０，３１，３２用の電源電圧Ｖｃｃｒ，Ｖｃｃｇ，Ｖｃｃｂとなる。実施形態２では、各ＬＥＤ３０，３１，３２ごとに独立した電源電圧Ｖｃｃｒ，Ｖｃｃｇ，Ｖｃｃｂを用いる。
【００４２】
また、実施形態２の照明装置４ａは、実施形態１の可変色演出制御部に代えて、図６に示すような可変色演出制御部７ａを備えている。可変色演出制御部７ａは、各ＬＥＤ３０，３１，３２のオンデューティーを固定している。なお、可変色演出制御部７ａは、上記以外の点において、実施形態１の可変色演出制御部７（図３参照）と同様である。
【００４３】
次に、実施形態２の照明器具の動作について説明すると、照明装置４ａでは、各ＬＥＤ３０，３１，３２のオンデューティーを固定にしたまま、各ＬＥＤ３０，３１，３２に電流を流すための電源電圧Ｖｃｃｒ，Ｖｃｃｇ，Ｖｃｃｂを変えることによって各ＬＥＤ３０，３１，３２の順電流を変更して光量を調整する。
【００４４】
以上、実施形態２によれば、各可変抵抗８６ｒ，８６ｇ，８６ｂのつまみを回すことで各ＬＥＤ３０，３１，３２の最大光出力を調整し、自ずと固定することができるので、各ＬＥＤ３０，３１，３２の最大光出力を手動で容易に調整することができる。また、実施形態２では、リモコン送信器４２が記憶ボタンを備える必要がないので、既存のリモコン送信器を用いることができる。
【００４５】
（実施形態３）
本発明の実施形態３について図７を用いて説明する。図７は、実施形態３の照明器具の要部回路図である。
【００４６】
実施形態３の照明器具は、実施形態１の照明器具（図１参照）と同様に、主光源２と、４つの演出用光源群３，３，３，３とを備えているが、実施形態１の照明器具にはない以下に記載の特徴部分がある。
【００４７】
実施形態３の照明装置４ｂは、実施形態１のＬＥＤ基板及び可変色演出制御部に代えて、図７に示すようなＬＥＤ基板４１ａ及び可変色演出制御部７ｂを備えている。ＬＥＤ基板４１ａは、実施形態１のＬＥＤ基板とは異なり、限流用抵抗を備えていない。
【００４８】
一方、可変色演出制御部７ｂは、３つの限流用抵抗７６ｒ，７６ｇ，７６ｂを備え、オンデューティー及び電源電圧Ｖｃｃを固定している。各限流用抵抗７６ｒ，７６ｇ，７６ｂは、それぞれが各ＬＥＤ３０，３１，３２と直列に接続している可変抵抗である。また、各限流用抵抗７６ｒ，７６ｇ，７６ｂは、つまみ（図示せず）が設けられているものであり、セード６（図２（ａ）参照）を外したときにユーザが上記つまみを操作できるように、反射板５２（図２（ａ）参照）に穴が開けられ、つまみが突出した構造の手動調整手段である。実施形態３では、各ＬＥＤ３０，３１，３２ごとに限流用抵抗７６ｒ，７６ｇ，７６ｂの抵抗値を調整する。なお、可変色演出制御部７ｂは、上記以外の点において、実施形態１の可変色演出制御部７（図３参照）と同様である。
【００４９】
実施形態３では、各色ごとに複数のＬＥＤに対して限流用抵抗７６ｒ，７６ｇ，７６ｂを共通としているので、同一の色を出力するＬＥＤが同一ロット（同一ばらつき）であることが望ましい。
【００５０】
次に、実施形態３の照明器具の動作について説明すると、照明装置４ｂでは、各ＬＥＤ３０，３１，３２のオンデューティー及び電源電圧Ｖｃｃを固定にしたまま、限流用抵抗７６ｒ，７６ｇ，７６ｂの抵抗値を変えることによって各ＬＥＤ３０，３１，３２の順電流を変更して光量を調整する。
【００５１】
以上、実施形態３によれば、各限流用抵抗７６ｒ，７６ｇ，７６ｂのつまみを回すことで各ＬＥＤ３０，３１，３２の最大光出力を調整し、自ずと固定することができるので、各ＬＥＤ３０，３１，３２の最大光出力をより簡単な構成によって手動で容易に調整することができる。また、実施形態３では、リモコン送信器４２が記憶ボタンを備える必要がないので、既存のリモコン送信器を用いることができる。
【図面の簡単な説明】
【００５２】
【図１】本発明による実施形態１の照明器具及びリモコン送信器の構成を示すブロック図である。
【図２】同上の照明器具であって、（ａ）は側面図、（ｂ）は下面図である。
【図３】同上の照明器具の要部回路図である。
【図４】同上の照明器具における可変色演出制御部のスイッチング素子の動作を示す図である。
【図５】同上の照明器具であって、（ａ），（ｂ）はばらつきのない場合のオンデューティー及び光量比を示す図、（ｃ），（ｄ）はばらつきのある場合のオンデューティー及び光量比を示す図である。
【図６】本発明による実施形態２の照明器具の要部回路図である。
【図７】本発明による実施形態３の照明器具の要部回路図である。
【符号の説明】
【００５３】
３０  赤色発光ダイオード
３１  緑色発光ダイオード
３２  青色発光ダイオード
４２  リモコン送信器
４２２  ＬＥＤボタン
４２４  明ボタン
４２５  暗ボタン
４２６  記憶ボタン
７  可変色演出制御部
【図１】
2007173120.tif 000003
【図２】
2007173120.tif 000004
【図３】
2007173120.tif 000005
【図４】
2007173120.tif 000006
【図５】
2007173120.tif 000007
【図６】
2007173120.tif 000008
【図７】
2007173120.tif 000009